(57)【要約】【課題】剥離開始部となるミシン目を設けた重ね合わせ接着葉書において、このミシン目を破断しないで、表出するシート片の端縁から捲り上げて剥離し、重ね合わせ接着面に表示された情報を確認した後、再接着するという不正行為がなされたことを一目瞭然とすることにより、この不正行為を抑制する。【解決手段】重ね合わせ接着葉書１は、複数のシート片２，３，４を重ね合わせて剥離可能に接着し、表出するシート片２，４に、その一側端と平行に剥離開始部となるミシン目８，９を設け、ミシン目８，９と一側端との間に、ミシン目８，９と平行に、かつこのミシン目８，９の両端部に位置するよう一対のスリット１０ａ，１０ｂ，１１ｂを設けたものである。【選択図】　　図１
2004090392.tif 000002
【特許請求の範囲】
【請求項１】
複数のシート片を重ね合わせて重ね合わせ面を剥離可能に接着するとともに、表出するシート片の少なくとも一方のシート片に、その一側端と平行に剥離開始部となるミシン目を設けてなる重ね合わせ接着葉書において、前記一方のシート片の前記ミシン目と前記一側端との間にスリットを設けたことを特徴とする重ね合わせ接着葉書。
【請求項２】
スリットは、剥離開始部となるミシン目と平行に、かつこのミシン目の両端部に位置するよう一対設けたことを特徴とする請求項１記載の重ね合わせ接着葉書。
【発明の詳細な説明】
【０００１】
【発明の属する技術分野】
本発明は、封書と同様に親展性を有して所定の情報を通知できる重ね合わせ接着葉書に関し、特に、複数のシート片を重ね合わせて重ね合わせ面を剥離可能に接着してなる重ね合わせ接着葉書する。
【０００２】
【従来の技術】
従来、他人が通知情報を視認できないように親展化して通知しうる重ね合わせ接着葉書としては、折り用ミシン目を介して連接した２枚あるいは３枚のシート片を二つ折りあるいは三つ折りし、または２枚あるいは３枚の別体のシート片を重ね合わせ、重ね合わせ面を親展通知情報表示面とするとともに、これら重ね合わせ面を剥離可能に接着した構成が知られている。そして、表出するシート片の少なくとも一方のシート片に、その一側端と平行に剥離開始部となるミシン目を設け、このミシン目を破断することにより開封可能とする構成も知られている。この剥離開始部となるミシン目を設けた構成によると、開封したか否かはミシン目の状態から一目瞭然なので、親展性に優れているという利点がある。
【０００３】
【発明が解決しようとする課題】
ところが、従来、このミシン目を破断しないで、表出するシート片の端縁から捲り上げて剥離し、重ね合わせ面に表示された情報を確認した後、一旦剥離した重ね合わせ面を再接着する不正行為がなされることがあり、この場合には、ミシン目は破断されていないので、ミシン目の状態からは開封されたことがわからない、という不都合がある。本発明は、この不都合を解消した重ね合わせ接着葉書を提供することを目的とする。
【０００４】
【課題を解決するための手段】
この目的を達成するために、本発明の請求項１に係る重ね合わせ接着葉書は、複数のシート片を重ね合わせて重ね合わせ面を剥離可能に接着するとともに、表出するシート片の少なくとも一方のシート片に、その一側端と平行に剥離開始部となるミシン目を設けてなる重ね合わせ接着葉書において、前記一方のシート片の前記ミシン目と前記一側端との間にスリットを設けたことを特徴とする。
【０００５】
また、本発明の請求項２に係る重ね合わせ接着葉書は、上述した請求項１の構成において、スリットは、剥離開始部となるミシン目と平行に、かつこのミシン目の両端部に位置するよう一対設けたことを特徴とするものである。
【０００６】
【発明の実施形態】
以下、本発明の好適な実施形態を添付図面に基づいて説明する。ここにおいて図１は重ね合わせ接着葉書の斜視図、図２はそのＡ−Ａ線断面図、図３は剥離開始部となるミシン目を破断して重ね合わせ面を剥離し始めた状態の斜視図、図４は折り重ねる前の状態を示す平面図、図５は同状態の他面側を示す平面図である。
【０００７】
図１及び図２に示すように、重ね合わせ接着葉書１は、折り用ミシン目５，６を介して連接してなる宛名表示シートたる第１シート２、葉書本体シートたる第２シート３、及び第３シート４を、前記折り用ミシン目５，６でジグザグ状に折り重ね、各重ね合わせ面を接着後に剥離可能な感圧性接着剤７により剥離可能に接着している。
【０００８】
また、第１シート２と第３シート４の折り用ミシン目５，６とはそれぞれ反対側の一側端に沿って、この一側端と平行に剥離開始部となるミシン目８，９を設け、このミシン目８，９の外側には、上下端（天地端）に位置して各一対のスリット１０ａ，１０ｂ、１１ａ，１１ｂを設けている。さらに、前記第１シート２の前記ミシン目８の外側には、後述する葉書表示を露出するための５つの透孔１２を設けている。
【０００９】
上述の剥離可能な感圧性接着剤７は、一般的な接着力を有する感圧性接着剤、例えば天然ゴム１００重量部に対して、スチレン２〜８重量部と、メタクリル酸メチル１０〜１６重量部とをグラフト共重合して得られた天然ゴムラテックスに、テルペン樹脂系粘着付与剤２〜１０重量部を添加してなる感圧性接着剤を基剤とし、接着力を調整するために、この基剤に平均粒径１〜３０μｍの酸化チタン、小麦澱粉、シリカ等から選択した一種あるいは複数種からなる微粒状充填剤を添加する。すなわち、この微粒状充填剤の添加量に比例して、接着力は弱くなるものであるが、具体的には１５０〜２５０重量部添加すると好適である。
【００１０】
また、上述した破断開始部たる各ミシン目８，９は、破断しやすいように、いわゆるマイクロミシン目であることが望ましく、好適なピッチとしては、例えば、カット部が０．２０ｍｍでアンカット部が０．１５ｍｍ、カット部が０．３５ｍｍでアンカット部が０．１５ｍｍ、カット部が０．２８ｍｍでアンカット部が０．２３ｍｍ、カット部が０．３５ｍｍでアンカット部が０．２３ｍｍのような組み合わせが考えられる。
【００１１】
図１及び図４で理解できるように、第２シート３における第１シート２との重ね合わせ接着面には、折り用ミシン目６に沿って「郵便はがき」という５文字からなる葉書表示１３を印刷している。また、前記第１シート２の表出面は宛名表示面となり、ここに宛名１４を印字している。さらに、前記第１シート２と前記第２シート３の重ね合わせ接着面には、それぞれ預金に関する案内文１５を印字している（図４参照）。
【００１２】
またさらに、図２及び図５に示すように、第２シート２と第３シート４の重ね合わせ接着面には、前記第２シート３面に預金残高に関する説明文１６が印刷される一方、前記第３シート４面には親展通知情報である宛名人に関する預金残高情報１７を印字している。一方、図２及び図４に示すように、前記第３シート４の表出面には、重ね合わせ接着葉書１の剥離方法を説明する説明文１８と差出人表示１９を印刷している。
【００１３】
上述のように構成した重ね合わせ接着葉書１は、官製葉書と同様に使用可能である。この重ね合わせ接着葉書１を受領した宛名人は、図３に示すように、ミシン目８を山折りして破断し、この破断端から第１シート２を捲り上げて第２シート３から剥離し、また、同様にミシン目９を山折りして破断し、この破断端から第３シート４を捲り上げて第２シート３から剥離する。これによって、重ね合わせ接着葉書１は展開状態となり、隠蔽されていた案内文１５、説明文１６、預金残高情報１７を視認することができる（図４及び図５参照）。
【００１４】
ここで、各ミシン目８，９を破断することなく、各シート２，４の一側端から捲り上げて第２シート３から剥離しようとすると、剥離端側のスリット１０ａ，１０ｂ，１１ａ，１１ｂの部分から破れてしまうので、剥離したことが一目瞭然となる。
【００１５】
なお、本発明は上述した実施形態に限られるものではなく、例えば、破断開始部たるミシン目８，９は、第１シート２にのみ設け、第３シート４は一端縁から剥離するよう構成してもよい。また、スリット１０ａ，１０ｂ，１１ａ，１１ｂを設ける位置や、長さなども上述した形態に限定されない。さらに、三つ折り葉書に限らず、二つ折り葉書や、別体の２枚あるいは３枚のシートを重ね合わせ接着して構成してもよい。またさらに、重ね合わせ接着葉書１の剥離可能な重ね合わせ接着面の全てに情報を印字、あるいは印刷する必要はない。
【００１６】
【発明の効果】
このようにして、本願の請求項１に係る発明によれば、剥離開始部となるミシン目を破断しないで重ね合わせ接着面を剥離しようとすると、捲り上げたシート片がスリットからが破けてしまい、不正行為がなされたことが一目瞭然となるので、この不正行為がなされることを抑制でき、親展性が向上するという効果を奏する。
【００１７】
また、本願の請求項２の発明によれば、上述した請求項１の発明の効果において、シート片がスリットから破れる動作がより確実なものになり、親展性がより向上するという効果を奏する。
【図面の簡単な説明】
【図１】重ね合わせ接着葉書の斜視図。
【図２】図１のＡ−Ａ線断面図。
【図３】剥離開始部となるミシン目を破断して重ね合わせ面を剥離し始めた状態の斜視図。
【図４】折り重ねる前の状態を示す平面図。
【図５】同状態の他面側を示す平面図。
【符号の説明】
１　　　重ね合わせ接着葉書
２　　　第１シート
３　　　第２シート
４　　　第３シート
５，６　　　折り用ミシン目
７　　　剥離可能な感圧性接着剤
８，９　　　ミシン目
１０ａ，１０ｂ，１１ａａ，１１ｂ　　　スリット
１２　　　透孔
１３　　　葉書表示
１４　　　宛名表示
１５　　　案内文
１６　　　説明文
１７　　　預金残高情報
１８　　　説明文
１９　　　差出人表示
【図１】
2004090392.tif 000003
【図２】
2004090392.tif 000004
【図３】
2004090392.tif 000005
【図４】
2004090392.tif 000006
【図５】
2004090392.tif 000007